(57)【要約】【課題】本発明は、絶縁シートに成形コイルを貼着し、この絶縁シートを円筒状として筒状ステータケース内に入れ、小型モータに適するステータを得ることを目的とする。【解決手段】本発明によるステータ構造は、絶縁シート(1)に接着面(2)を介して成形コイル(4)を設け、この絶縁シート(1)を内径治具(6)を介して円筒状とし、この絶縁シート(1)を筒状ステータケース(10)に挿入した構成である。【選択図】図１
2008259319.tif 000002
【特許請求の範囲】
【請求項１】
絶縁シート(1)に接着面(2)を介して互いに離間させて貼着させた複数の成形コイル(4)と、前記各成形コイル(4)に接続されたリード線(5)と、前記絶縁シート(1)の第１、第２端部(1a,1b)を接続・固定しかつ前記絶縁シート(1)を円筒状に保つための接着テープ(7)と、前記円筒状の絶縁シート(1)を挿入して内設するための磁性体よりなる筒状ステータケース(10)と、を備え、
前記各成形コイル(4)は前記絶縁シート(1)により互いに絶縁した状態で保持される構成としたことを特徴とするステータ構造。
【請求項２】
前記接着面(2)は、両面テープからなることを特徴とする請求項１記載のステータ構造。
【請求項３】
絶縁シート(1)に接着面(2)を介して複数の成形コイル(4)を互いに離間した状態で貼着し、前記各成形コイル(4)を結線してリード線(5)を接続し、前記絶縁シート(1)を棒状の内径治具(6)に巻きつけた後、前記絶縁シート(1)の第１、第２端部(1a,1b)を接着テープ(7)で接続して前記絶縁シート(1)を円筒状とし、前記円筒状の前記絶縁シート(1)を有する前記内径治具(6)を磁性体よりなる筒状ステータケース(10)内に挿入し、その後、前記内径治具(6)のみを前記筒状ステータケース(10)から除去することを特徴とするステータ構造の製造方法。
【請求項４】
前記筒状ステータケース(10)の底部(10a)に設けられ断面Ｌ字型をなす輪状係止体(11)に、前記内径治具(6)の先端を当接させることにより、前記筒状ステータケース(10)内における前記内径治具(6)の位置決めを行うことを特徴とする請求項３記載のステータ構造の製造方法。
【発明の詳細な説明】
【技術分野】
【０００１】
本発明は、ステータ構造及びその製造方法に関し、特に、絶縁シートに複数の成形コイルを貼着し、この絶縁シートを円筒状として筒状ステータケース内に内設することにより、絶縁ボビンを用いることなく、超小型モータを得ることができるようにするための新規な改良に関する。
【背景技術】
【０００２】
従来、用いられていたこの種の一般的なＤＣサーボモータ、ステップモータ及び小型モータ等においては、後述の特許文献１で示されるように、何れのモータのステータ構造においても、輪状ステータの各ステータに絶縁ボビンに相当する絶縁カバーを介してステータコイルを巻付けていた。
また、他の小型モータにおいては、輪状ステータの各磁極突起に、ステータコイルを巻回した絶縁ボビンを装着することによってステータ構造を構成していた。
【０００３】
【特許文献１】特開１１−６９７５９号公報
【発明の開示】
【発明が解決しようとする課題】
【０００４】
従来のステータ構造は、以上のように構成されていたため、次のような課題が存在していた。
すなわち、前述の絶縁カバーを用いるステータ構造の場合、輪状ステータのスロットを用いるために、小型化（小径化）には限度があり、小型モータを構成するには不向きであった。
また、前述のボビンを用いるステータ構造においては、このボビンの厚さ分だけ輪状ステータの内面から内方へ突出するため、前述と同様に小型のモータには不向きであった。
【課題を解決するための手段】
【０００５】
本発明によるステータ構造は、絶縁シートに接着面を介して互いに離間させて貼着させた複数の成形コイルと、前記各成形コイルに接続されたリード線と、前記絶縁シートの第１、第２端部を接続・固定しかつ前記絶縁シートを円筒状に保つための接着テープと、前記円筒状の絶縁シートを挿入して内設するための磁性体よりなる筒状ステータケースと、を備え、前記各成形コイルは前記絶縁シートにより互いに絶縁した状態で保持される構成であり、また、前記接着面は、両面テープからなる構成であり、また、本発明によるステータ構造の製造方法は、絶縁シートに接着面を介して複数の成形コイルを互いに離間した状態で貼着し、前記各成形コイルを結線してリード線を接続し、前記絶縁シートを棒状の内径治具に巻きつけた後、前記絶縁シートの第１、第２端部を接着テープで接続して前記絶縁シートを円筒状とし、前記円筒状の前記絶縁シートを有する前記内径治具を磁性体よりなる筒状ステータケース内に挿入し、その後、前記内径治具のみを前記筒状ステータケースから除去する方法であり、また、前記筒状ステータケースの底部に設けられ断面Ｌ字型をなす輪状係止体に、前記内径治具の先端を当接させることにより、前記筒状ステータケース内における前記内径治具の位置決めを行う方法である。
【発明の効果】
【０００６】
本発明によるステータ構造及びその製造方法は、以上のように構成されているため、次のような効果を得ることができる。
すなわち、絶縁シートに接着面を介して成形コイルを貼着させ、この絶縁シートを円筒状として筒状ステータケース内に装着しているため、絶縁ボビンを用いることなく薄肉型の成形コイルをステータコイルとして筒状ステータケース内に設けることができ、超小型モータを構成することができる。
【発明を実施するための最良の形態】
【０００７】
本発明は、絶縁シートに複数の成形コイルを貼着し、この絶縁シートを円筒状として筒状ステータケース内に内設することにより、絶縁ボビンを用いることなく、超小型モータを得ることができるようにしたステータ構造及びその製造方法を提供することを目的とする。
【実施例】
【０００８】
以下、図面と共に本発明によるステータ構造及びその製造方法の好適な実施の形態について説明する。
図１において符号１で示されるものは、全体形状が四角形をなすと共に曲折自在なフィルム等からなる絶縁シートであり、この絶縁シート１の幅方向Ｗに沿って延設された複数の接着面２が形成されている。
【０００９】
前記接着面２は、前記幅方向Ｗと直交する方向において、互いに間隔をおいて複数並設されており、各接着面２は、例えば、両面テープで形成されている。
前記絶縁シート１の面には、前記幅方向Ｗに対して直交する方向に沿って延設される長手枠状の取付位置マーク３が複数形成されており、各取付位置マーク３は、前記各接着面２に跨って形成され、前記幅方向Ｗに沿って所定の間隔で３個（尚、この３個はモータの相数により変わる）配設されている。
【００１０】
次に、図２に示されるように、前記各取付位置マーク３には、予め、周知のプリント製法により形成されるか、細いステータコイルを輪状に形成した成形コイル４が設けられ、各成形コイル４は前記各取付位置マーク３の線と一致するように配置されることにより、前記各接着面２に接着されている。
尚、図２では、各成形コイル４の端線４ａが設けられている。
【００１１】
次に、図３では、前記各端線４ａが、モータの相（Ｕ、Ｖ、Ｗ）の結線（例えば、スター結線）に合わせて結線４ｂ及び結束が行われ、結束後の各端線４ａにはリード線５が接続されている。
【００１２】
次に、図４では、図３のように結線４ｂ及び結束が終了した前記絶縁シート１を円筒状に丸めるために、前記絶縁シート１の前記幅方向Ｗにおける中央位置に、円柱又は円筒からなる内径治具６を設け、絶縁シート１の第１、第２端部１ａ、１ｂを両側から曲折させ、各端部１ａ、１ｂを図５のように接着テープ７で接続・固定することにより、図６で示されるように、円筒状の絶縁シート１を得ることができる。
【００１３】
次に、図７で示されるように、前述の円筒状の絶縁シート１を有する内径治具６を、磁性体からなる筒状ステータケース１０内に挿入する。
前記内径治具６の先端６ａは、前記筒状ステータケース１０の底部１０ａに形成され断面Ｌ字型をなす輪状係止体１１に当接して位置決めが行われる。
【００１４】
次に、前述の状態で内径治具６を絶縁シート１から引き抜くことにより、絶縁シート１は筒状ステータケース１０内に残され、絶縁シート１と筒状ステータケース１０とによって、小型モータ用のステータ２０を得ることができる。
尚、筒状ステータケース１０から内径治具６を除去した後は、前記絶縁シート１と筒状ステータケース１０との間に液状の瞬間接着剤等をわずかに供給することにより、絶縁シート１と筒状ステータケース１０とを固定することができる。
【図面の簡単な説明】
【００１５】
【図１】本発明によるステータ構造の絶縁シートを示す正面図である。
【図２】図１の絶縁シートに成形コイルを設けた状態を示す正面図である。
【図３】図２の成形コイルにリード線を設けた状態を示す正面図である。
【図４】図３の絶縁シートに内径治具を設けた状態を示す正面図である。
【図５】内径治具に絶縁シートを巻きつけた状態を示す正面図である。
【図６】図５の平面図である。
【図７】図６の内径治具を筒状ステータケース内に挿入した状態を示す断面図である。
【図８】図７の内径治具を除去した後の平面図である。
【符号の説明】
【００１６】
１    絶縁シート
１ａ、１ｂ    第１、第２端部
２    接着面
３    取付位置マーク
４    成形コイル
４ａ    端線
５    リード線
６    内径治具
６ａ    先端
７    接着テープ
１０    筒状ステータケース
１０ａ    底部
１１    輪状係止体
２０    ステータ
【図１】
2008259319.tif 000003
【図２】
2008259319.tif 000004
【図３】
2008259319.tif 000005
【図４】
2008259319.tif 000006
【図５】
2008259319.tif 000007
【図６】
2008259319.tif 000008
【図７】
2008259319.tif 000009
【図８】
2008259319.tif 000010